(57)【要約】  【課題】  ２段中継伝送の場合でも最終地点で途中の中継点での受信状態の監視が得られるようにしたデジタル伝送装置を提供すること。  【解決手段】  Ｂ地点の中継部にメモリを備えた表示データ伝送部２０を設けると共に、Ｃ地点にも同じくメモリを備えた表示データ受信部２１を設け、このとき表示データ伝送部２０と表示データ受信部２１の双方にメモリを設け、コンスタレーション表示に必要なデータが、電話回線などの低速回線Ｍを介してＢ地点からＣ地点に伝送できるように、メモリ間でのデータ伝送を用いるようにしたもの。  【選択図】  図１
2005051755.tif 000002
【特許請求の範囲】
【請求項１】
デジタル変調した伝送信号を２次元データにマッピングして少なくとも一つの中継地点からから伝送し、受信側で前記２次元データを識別して伝送信号を再生する方式のデジタル伝送装置において、
前記中継地点側に設置され、前記伝送信号の伝送状態を表示する伝送状態表示情報の書き込みと、当該伝送状態表示情報の読み出しとを交互に行なう第１と第２のメモリを備え、これら第１と第２のメモリから交互に伝送状態表示情報を読出して送出する表示データ伝送手段と、
前記受信側に設置され、前記送出された伝送状態表示情報を受信して、当該伝送状態表示情報の書込みと、及び当該伝送状態表示情報の読み出し及び出力を行なう第３と第４のメモリを備え、これら第３と第４のメモリから交互に伝送状態表示情報を読み出して出力する表示データ受信手段を設け、
前記表示データ受信手段から出力される伝送状態表示情報により前記中継地点側における伝播状況の表示が得られるように構成したことを特徴とするデジタル伝送装置。
【請求項２】
請求項１記載のデジタル伝送装置において、
さらに前記第１及び第２のメモリの書き込み箇所の書き込み履歴を各々格納する第１及び第２の履歴メモリと、
当該第１及び第２の履歴メモリの履歴に基づき、前記第１及び第２のメモリの書き込み箇所のみを判定して、当該書き込み箇所の伝送状態表示情報を出力する判定部とを備えた
ことを特徴とするデジタル伝送装置。
【請求項３】
デジタル変調した伝送信号を２次元データにマッピングして少なくとも一つの中継地点から伝送し、受信側で前記２次元データを識別して伝送信号を再生する方式のデジタル伝送方法において、
前記中継地点側の前記伝送信号の伝送状態を表示する伝送状態表示情報を、第１及び第２のメモリに交互に書き込み、
前記第１及び第２のメモリから前記伝送状態表示状態を交互に読み出して前記受信側に送出し、
前記受信側において、前記送出された伝送状態表示情報を受信して、第３及び第４のメモリに交互に書き込み、
当該第３及び第４のメモリから交互に伝送状態表示情報を読出して出力する、
ことを特徴とするデジタル伝送状況把握方法。
【発明の詳細な説明】
【技術分野】
【０００１】
本発明は、デジタル伝送装置における伝送状態の可視化に係り、特に中継伝送における表示データの再伝送技法に関する。
【背景技術】
【０００２】
映像や音声信号の無線伝送には、数年前までアナログ伝送方式が使用されていたが、近年、ＱＡＭ(Quadratuwe Anplitude Modulation)方式やＯＦＤＭ(Orthogonal Frequency Division Multiplexing)方式などによるデジタル伝送方式が用いられるようになっている。
【０００３】
このとき、伝送対象となるデータは、映像や音声信号をＭＰＥＧ処理により圧縮したＴＳ(トランスポートストリーム)などの伝送信号であるが、この場合、一般的には、デジタル変調した伝送信号を２次元データにマッピングして送信側から伝送し、受信側で２次元のデータを識別して伝送信号を再生する方式のデジタル伝送装置が使用される。
【０００４】
ところで、上記したアナログ方式の場合、受信電界レベルによって映像や音声のＳＮ(Ｓ／Ｎ)が変化し、このため、例えばマラソンの中継など、電界レベルの変化が激しい移動伝送においては、中継された映像がノイズや乱れの多い品位の低い画像になり易かった。
【０００５】
しかし、デジタル伝送方式によれば、デジタル化された情報が伝送されるので、エラー訂正処理が適用でき、このため、受信電界レベルが変化している伝送環境のもとでも、エラー訂正が働く電界レベル範囲であれば、同一の品位の映像が中継できる。
【０００６】
反面、デジタル伝送方式では、電界レベルが或る限界値を下回るとエラー訂正が効かなくなり、この場合、突然、映像信号の伝送が不可能になってしまうが、このときの電界レベルの下限値は、受信側での識別判定処理における信号状態により、或る程度、把握が可能である。
【０００７】
例えば、伝送量が６０Ｍbps と比較的多い６４ＱＡＭ方式の場合、ＣＮ(Ｃ／Ｎ)の最小値は２７ｄＢ程度なので、受信電界レベルの下限値は約−７０ｄＢｍとなり、従って、映像の伝送には、これ以上のレベルが必要になる。
【０００８】
また、伝送量が３５Ｍbps と比較的少ない１６ＱＡＭ２方式の場合は、ＣＮの最小値は１８ｄＢ程度なので、受信電界レベルの下限値は約−８０ｄＢｍで、これ以上のレベルなら映像が伝送できる。
【０００９】
そこで、このようなデータ訂正処理が適用されたデジタル伝送装置では、従来から、受信電界レベルの下限値を伝送状態や同期再生状態から把握できるようにしたものが知られている(例えば、特許文献１、特許文献２参照。)。
【００１０】
そこで、以下、このようなデジタル伝送装置の一例について、図１５により説明すると、この図１５は、データ訂正処理が適用されたデジタル伝送装置をＡ地点からＢ地点に映像を中継する場合に適用したときの従来技術の一例で、この場合、例えば走行中のマラソン選手の画像を捉えている移動車などの撮像現場がＡ地点で、Ｂ地点は放送局に相当し、これらの間は、例えばマイクロ波帯の電波を用いた無線伝送形式となる。
【００１１】
そして、まずＡ地点では、図示していないテレビカメラで撮像した映像信号がＭＰＥＧエンコーダ１に入力され、ここで圧縮データＴＳに変換された後、変調モードを決める働きをするマッピング部２に入力され、２次元のデータＤm に変換される。
【００１２】
そして、このデータＤm がＭＯＤ(変調器)３により変調され、１３０ＭＨｚ帯の中間周波信号Ｄmod となり、送信高周波部４に供給される。そして、ここでマイクロ波帯の信号に周波数変換され、電力増幅されてからアンテナ５によりマイクロ波Ｗ１として送信され、Ｂ地点にあるアンテナ６に向けて伝送される。
【００１３】
こうしてＢ地点のアンテナ６に伝達されたマイクロ波Ｗ１は、ここでマイクロ波信号として受信され、受信高周波部７に入力される。そこで、受信高周波部７は、受信された微弱な信号を増幅し、マイクロ波帯から１３０ＭＨｚ帯の中間周波信号Ｄdem に変換する。
【００１４】
そこで、この中間周波信号Ｄdem をＤＥＭ(復調器)８に入力し、ここで時間タイミング再生処理と周波数再生処理を施し、同相成分Ｉと直交成分Ｑの２次元のデータＤd に復調する。そして、このデータＤd が識別判定部９で再生圧縮データＴＳr に復元された上でＭＰＥＧデコーダ１０に入力され、映像信号に伸張されることになる。
【００１５】
このとき、上述のように、受信電界レベルに下限値があるので、伝送状態や同期再生状態の良否を把握する必要があり、このためＤＥＭ８から出力される２次元のデータＤd を表示装置１１にも取り込み、そこにあるオシロスコープのＸ−Ｙ入力に供給し、短時間の表示ではあるが、コンスタレーション(Constellaton)図形が観測できるようにしてある。
【００１６】
このとき、表示装置１１のオシロスコープに表示されるコンスタレーション図形は図１６(a)、(b)に示すようになる。ここで、図１６の(a)は、伝送状態や同期再生状態が良好なときの表示で、この場合、各マッピング点は小さく纏まっている。しかし、状態が悪くなると、図１６(b)に示すように、各マッピング点が大きくなり、ぼやけた状態になってゆく。
【００１７】
そこで、このオシロスコープに表示されるコンスタレーション図形を観察することにより、伝送状態や同期再生状態を知ることができ、電界レベルが伝送可能範囲に達しているか否かが判断でき、伝送状態表示情報として認識することができる。
【００１８】
そして、これにより、映像伝送が中断する虞れの発生を予想し、それに備えて予め用意してある別のプログラムに切換えるなどの処置をとることができる。
【特許文献１】特開平６−３２６７３５号
【特許文献２】特開２００２−２２３４５９号
【発明の開示】
【発明が解決しようとする課題】
【００１９】
上記従来技術は、伝送経路がＡ地点からＢ地点を経由して更にＣ地点に至る、少なくとも一つの中継点が設けられている場合について配慮がされておらず、この場合、例えば放送局が、ある特定の一つ又は複数の中継地点の伝送状況の監視を行う場合では、途中の中継地点での受信状態が把握できないという問題があった。
【００２０】
例えば、放送局からＡ地点が遠い場合、或いは途中に電波の伝播に障害となる物があった場合、放送局までの途中に中継部を設ける必要が生じる。この場合、図１７に示すように、Ｂ地点にあるのが中継部で、例えば小高い丘などに設置され、そしてＣ地点が放送局になる。
【００２１】
従って、この場合は、図１５で説明したシステム構成に、更に再送信装置１２と送信用のアンテナ１３を加えて中継地点とし、さらに放送局等の受信部に受信用のアンテナ１４、それに受信装置１５を加えたものである。
【００２２】
そして、再送信装置１２とアンテナ１３はＢ地点に設置され、アンテナ１４と受信装置１５はＣ地点に設置されて、これらの間の伝送に例えばマイクロ波帯の電波Ｗ２を用いた２段中継伝送となる。
【００２３】
ここで、中継部にある再送信装置１２は、識別判定部９から出力される再生圧縮データＴＳr を入力し、アンテナ１３からマイクロ波の電波Ｗ２に乗せて送信させ、Ｃ地点のアンテナ１４で受信されるようにする。
【００２４】
そこで、アンテナ１４はマイクロ波の電波Ｗ２を受信し、受信装置１５で映像信号を再生することになるが、この場合、Ｃ地点にある放送局では、Ｂ地点での受信状態は監視できない。
【００２５】
本発明は、上述の点に鑑みてなされたもので、２段中継伝送の場合でも最終地点で途中の中継点での受信状態の監視が得られるようにしたデジタル伝送装置を提供することを目的とする。
【課題を解決するための手段】
【００２６】
上記目的は、デジタル変調した伝送信号を２次元データにマッピングして送信側から伝送し、受信側で前記２次元データを識別して伝送信号を再生する方式のデジタル伝送装置において、下記表示データ伝送手段と下記表示データ受信手段を設けることにより、前記表示データ受信手段から出力されるコンスタレーション情報により前記送信側における伝播状況の監視が得られるため、達成される。(1) 前記送信側に設置され、コンスタレーション情報の書込みと、前記コンスタレーション情報の読出しとを交互に行なう第１と第２のメモリを備え、これら第１と第２のメモリから交互にコンスタレーション情報を読出して通信回線に出力する表示データ伝送手段。
【００２７】
(2) 前記受信側に設置され、前記通信回線から受信したコンスタレーション情報が交互に書込まれる第３と第４のメモリを備え、これら第３と第４のメモリから交互にコンスタレーション情報を読出して出力する表示データ受信手段。
【００２８】
このとき、前記各メモリから読出されるコンスタレーション情報の読出し単位がメモリアドレスの行単位に区分されていることによっても、上記目的が達成され、前記各メモリから読出されるコンスタレーション情報の読出し単位がメモリアドレスの左上、右上、左下、右下の４箇所に区分されていることによっても、上記目的が達成される。
【００２９】
ここで、本発明の実施形態の場合、具体的には、その１として、Ｂ地点にＩ＆Ｑ信号値に相当するアドレスに１を書込んだメモリ内容を出力する表示データ伝送部を配置し、これを電話回線などを介してＣ地点の表示データ受信部に接続したものとなる。
【００３０】
また、その２としては、メモリを行単位に区分し、その単位での書込みの有無を記憶する履歴メモリを設け、この履歴メモリの内容から、書込みの無い行単位は伝送を省略し、伝送を間引くことにより伝送速度を高めたものとなる。
【００３１】
更に、その３として、メモリを４分割し、各単位毎に書込み、伝送を行なう機能を付加する。
【００３２】
この場合、４分割ずつではあるが、更新を早めることができ、Ａ地点からＢ地点への伝送状況を速やかに把握できる。
【００３３】
以上のように、上記(1)、(2)を設けることにより、表示データ伝送手段が第１と第２のメモリから交互にコンスタレーション情報を読出して通信回線に出力し、表示データ受信手段が通信回線を介して受信したコンスタレーション情報を第３と第４のメモリに交互に書込むことにより、伝送状況を把握することができる。
【発明の効果】
【００３４】
本発明によれば、既存の電話回線など低速の伝送回線を用いても、コンスタレーション等による伝送状況が速やかに伝送できるので、最終伝送地点でも中継点での受信状態を容易に監視することができる。
【発明を実施するための最良の形態】
【００３５】
以下、本発明によるデジタル伝送装置について、図示の実施の形態により詳細に説明する。ここで、図１は本発明の第１の実施形態で、図において、２０は表示データ伝送部で、２１は表示データ受信部であり、その他の構成は、図１７で説明した従来のデジタル伝送装置と同じである。
【００３６】
従って、この図１の実施形態は、ブロック構成上は、図１７の従来技術において、Ｂ地点の中継部にある表示装置１１に代えて表示データ伝送部２０を設けると共に、Ｃ地点に表示データ受信部２１を付加したものに相当する。
【００３７】
そして、これら表示データ伝送部２０と表示データ受信部２１の間を電話回線などの低速回線Ｍにより結ぶことにより、Ｃ地点でも、途中の中継点であるＢ地点での受信状態の監視が得られるようにしたものである。
【００３８】
ここで、まず、表示データ伝送部２０は、詳しくは後述するが、ＤＥＭ８から２次元データＤd を入力し、この２次元データＤd を、低速回線Ｍによる伝送に適合させた送信データＴＤt に変換し、低速回線Ｍに送出する働きをする。
【００３９】
そして、このとき、表示データ伝送部２０は、映像信号に送信データＴＤt が重畳された信号、すなわちコンスタレーション情報重畳映像信号ＣＶを出力するようになっていて、このコンスタレーション情報重畳映像信号ＣＶを図示してない表示装置(図１７の表示装置１１に相当)に供給することにより、Ｂ地点での受信状態の監視が得られるようにしてある。
【００４０】
また、表示データ受信部２１は、これも詳しくは後述するが、低速回線Ｍを介して受信した送信データＴＤt を受信データＴＤr として入力し、これを処理して元の２次元のデータＤd に復元し、コンスタレーション情報重畳映像信号ＣＶを出力する働きをする。
【００４１】
そこで、ここにも、Ｂ地点の表示装置１１(図１７)と同様、オシロスコープを設け、復元したデータＤd を該オシロスコープのＸ−Ｙ入力に供給することにより、コンスタレーション図形が表示され、この結果、Ｃ地点でも、途中の中継点であるＢ地点での受信状態を監視することができる。
【００４２】
次に、これら表示データ伝送部２０と表示データ受信部２１の詳細について説明すると、まず、図２は、表示データ伝送部２０の一実施形態で、これには、図示のように、ＤＥＭ７で復調された２次元データＤd の同相成分である信号Ｉと直交成分である信号Ｑが入力され、このとき映像信号も入力される。
【００４３】
そして、これらの信号Ｉと信号Ｑは、夫々ＡＤ変換器２０１、２０２に入力され、デジタル変換されてから書込み部２０３に入力される。
【００４４】
ここで、図３は、この書込み部２０３の詳細で、ここに入力された信号Ｉと信号Ｑは、まず、合成器２０３−１により表示空間の２次元アドレスに変換される。そして、このときの変換結果は、ＷＥ発生器２０３−２から供給されるパルスＳ１によりホールドされ、アドレス出力となる。
【００４５】
また、この合成器２０３−１は、信号Ｉの変化点と信号Ｑの変化点の論理和をとり、信号Ｉと信号Ｑの変化点タイミングを表わすパルスｈ１を生成し、ゲート２０３−４とゲート２０３−５に供給する。
【００４６】
このとき、ＷＥ発生器２０３−２は、コントロール部２０４から供給されるＥＮ(イネーブル)出力に応じて上記したパルスＳ１を発生すると共に、ＷＥ(ライトイネーブル)の源となるパルスＷ１を発生し、このパルスＷ１をゲート２０３−４とゲート２０３−５に供給する。
【００４７】
そこで、ゲート２０３−４は、パルスｈ１によりパルスＷ１をオンオフし、パルスｈ１が現れていないときは、パルスＷ１をそのままＷＥとして出力すると共に、パルスＷ１とパルスｈ１の入力タイミングが一致した場合には、パルスＷ１をオフし、ＷＥとして出力されないようにする。
【００４８】
また、ゲート２０３−５は、同様にパルスＷ１の入力タイミングとパルスｈ１の入力が一致したとき、ＷＥ発生器２０３−２にパルスＥＮ１を供給して、コントロール部２０４からＷＥ発生器２０３−２に供給されているＥＮの入力をオフし、ＷＥ発生のタイミングを変更する働きをする。
【００４９】
更に、この書込み部２０３は、データとして常時レベルＨを出力し、これをコントロール部２０４に供給し、結果的に信号Ｉと信号Ｑの値に応じたメモリ空間にレベルＨのデータが書込まれるようにする。
【００５０】
そして、この書込み部２０３からアドレス出力とデータ出力、それにコントロール用のＷＥ出力がコントロール部２０４に供給される。
【００５１】
また、この表示データ伝送部２０は、初期化部２０５と読出し表示部２０６、それに読出し伝送部２０７を備えている。そして、まず、初期化部２０５からはアドレス出力とデータ出力、それにＷＥ出力がコントロール部２０４に入力される。このとき映像信号は、そのままコントロール部２０４に入力される。
【００５２】
この初期化部２０５の詳細が図４で、ここで、まずアドレス発生器２０５−１とＷＥ発生器２０５−２は、ＥＮの入力に応じて動作と停止が制御され、アドレス発生器２０５−１はアドレスを出力し、ＷＥ発生器２０５−２はＷＥを出力する。そして、データとしてはレベルＬを出力するようになっている。
【００５３】
従って、全体的な動作としては、ＥＮ入力に従ってアドレス発生器２０５−１に応じたメモリアドレス空間にレベルＬのデータを書込む動作となり、結果としてコンスタレーションが累積した表示空間を黒とする形で初期化が得られることになる。
【００５４】
一方、読出し表示部２０６と読出し伝送部２０７からは、アドレス出力とＲＥ(リードイネーブル)出力がコントロール部２０４に入力され、このとき、更に読出し伝送部２０７のアドレス出力は伝送器２０８にも供給され、コントローラ２０４からの読み出しデータも伝送器２０８に供給される。そして、この伝送器２０８の出力が伝送信号ＴＤt として出力されることになる。
【００５５】
ここで、図５は、読出し表示部２０６と読出し伝送部２０７の詳細で、まずアドレス発生器２０６−１とＲＥ発生器２０６−２は、ＥＮの入力に応じて動作と停止が制御される。そして、アドレス発生器２０６−１は表示画面に応じたアドレスを出力し、ＲＥ発生器２０６−２はＲＥを出力する。
【００５６】
全体的な動作としては、ＥＮ入力に従い、表示用のアドレス発生器２０６−１に応じたメモリアドレス空間のデータを読み出す。すなわち、コンスタレーションを累積した表示空間を、表示用の走査線タイミングに応じて出力することになる。
【００５７】
そして、まず、コントロール部２０４は、入力される映像信号に基づいて、書込み部２０３、初期化部２０５、読出し表示部２０６、読出し伝送部２０７に動作を許可する信号ＥＮを出力する。
【００５８】
また、このとき、書込み部２０３と初期化部２０５、読出し表示部２０６、読出し伝送部２０７の夫々から供給されたアドレス出力とデータ出力、それにコントロール用の信号であるＷＥとＲＥを、Ａメモリ２０９とＢメモリ２１０に切換選択して出力し、これらのＡメモリ２０９、Ｂメモリ２１０から読出したデータを加算器２１１に出力する。
【００５９】
そこで、この加算器２１１は、Ａメモリ２０９とＢメモリ２１０から読出されたデータを映像信号に加算してコンスタ重畳映像信号ＣＶを作成し、それを出力する。
【００６０】
次に、このコントロール部２０４の動作について、図６により説明すると、まず、ＤＥＭ８から入力された同相成分Ｉと直交成分Ｑの値は、図示のように、Ｆパルス(フレームパルス)で区分される各フレーム(Ｎ、Ｎ＋１、……)毎に、夫々に相当するメモリアドレス空間に変換され、所定のフレーム数毎にＡメモリ２０９とＢメモリ２１０に切換えられ、データとしてレベルＨが書込まれる。
【００６１】
このとき、Ａメモリ２０９とＢメモリ２１０の各々の相当するメモリアドレスからは、読出し期間において、レベルＨが読み出され、コンスタレーションデータの書き込みのないメモリアドレスのデータはレベルＬのままとなる。
【００６２】
そして、読出し完了後に行なわれる消去(初期化)は、読出しに相当するアドレス空間にレベルＬを書込みことにより与えられ、これにより、マッピング点の累積内容を初期化することができる。
【００６３】
ここで、読出し伝送部２０７は、低速回線Ｍの伝送速度に合せた速度による読出しを可能にする働きをし、このとき、伝送器２０８は、図７に示すように、読出し伝送部２０７の読出しアドレスに応じて読出したデータにヘッダを付加し、伝送信号ＴＤt として低速回線Ｍに送出する。
【００６４】
ここで、以下、これらの動作について、図６により更に詳細に説明すると、まず、コントロール部２０４は、フレーム周期のタイミングを表わすデータとなるＦパルスを、入力された映像信号から生成する。
【００６５】
そして、このＦパルスに応じて、２面のメモリ、すなわち、ＡメモリとＢメモリに対して表示(読出し)と消去(初期化)、書込(コンスタレーション形状を示すメモリアドレスに書き込み)の各処理を行なう。具体的には、図６に示すように、Ａメモリが表示と消去及び書込みのとき、Ｂメモリは読出し＆伝送(読出し及び伝送)となる。
【００６６】
従って、まず、送信側となる表示データ伝送部２０のＡメモリ２０９の処理は以下の通り、すなわち、
フレームＮ前半  ⇒  Ａメモリ全体の消去
フレームＮ中半  ⇒  Ａメモリ全体の書込み
フレームＮ後半  ⇒  Ａメモリ全体の読出し(表示)
フレームＮ＋１前半  ⇒  Ａメモリ全体の消去
フレームＮ＋１中半  ⇒  Ａメモリ全体の書込み
フレームＮ＋１後半  ⇒  Ａメモリ全体の読出し(表示)
フレームＮ＋２前半  ⇒  Ａメモリ全体の消去
フレームＮ＋２中半  ⇒  Ａメモリ全体の書込み
フレームＮ＋２後半  ⇒  Ａメモリ全体の読出し(表示)
フレームＮ＋３〜Ｎ＋５  ⇒  Ａメモリ全体の読出し及び全体の伝送
・
・
・
となる。
【００６７】
次に、同じく他方のＢメモリ２１０の処理は次の通り、すなわち、
フレームＮ〜Ｎ＋２  ⇒  Ｂメモリ全体の読出りと伝送送出
フレームＮ＋３前半  ⇒  Ｂメモリ全体の消去
フレームＮ＋３中半  ⇒  Ｂメモリ全体の書込み
フレームＮ＋３後半  ⇒  Ｂメモリ全体の読出し(表示)
フレームＮ＋４前半  ⇒  Ｂメモリ全体の消去
フレームＮ＋４中半  ⇒  Ｂメモリ全体の書込み
フレームＮ＋４後半  ⇒  Ｂメモリ全体の読出し(表示)
フレームＮ＋５前半  ⇒  Ｂメモリ全体の消去
フレームＮ＋５中半  ⇒  Ｂメモリ全体の書込み
フレームＮ＋５後半  ⇒  Ｂメモリ全体の読出し(表示)
・
・
・
となる。
【００６８】
次に、この表示データ受信部２１について、図８により説明する。
【００６９】
図８において、この表示データ受信部２１には、低速回線Ｍを介して伝送信号ＴＤr が供給されるが、これは、図示のように、受信書込み部２１に入力される。
【００７０】
ここで、図９は、受信書込み部２１２の詳細で、伝送信号ＴＤr はヘッダ検出部２１２−１に供給され、ここで図７で説明したヘッダが捕捉される。そして、その内容から、伝送されるメモリ区分のアドレスＡＷが検出され、それがアドレス発生部２１２−２に供給される。
【００７１】
また、このとき、ヘッダ検出部２１２−１は、ヘッダの捕捉に伴って伝送信号ＴＤr の伝送の開始と終了を検出し、それをアドレス発生部２１２−２とＷＥ発生器２１２−３、それにＥＮ発生器２１２−４に指示する。
【００７２】
そこで、アドレス発生２１２−２は、アドレスＡＷに従って、伝送受取りすべきデータに応じたアドレス値を発生する。一方、ＷＥ発生器２１２−３とＥＮ発生器２１２−４は、各々ＷＥ出力とＥＮ出力を発生し、伝送受取り、表示、初期化のタイミングをコントロール部２１３に知らせる働きをする。
【００７３】
図８に戻り、ここで初期化部２１４は、図４で説明した初期化部２０５と同じで、読出し表示部２１５は、図５で説明した読出し表示部２０６と同じであり、更にＡメモリ２１６とＢメモリ２１７は、夫々図２のＡメモリ２０９とＢメモリ２１０と同じである。
【００７４】
従って、この表示データ受信部２１のＡメモリ２１６による処理は次の通り、すなわち、
フレームＮ中半  ⇒  Ａメモリ全体の読出し(表示)
フレームＮ＋１中半  ⇒  Ａメモリ全体の読出し(表示)
フレームＮ＋２中半  ⇒  Ａメモリ全体の読出し(表示)
フレームＮ＋２後半  ⇒  Ａメモリ全体の初期化
フレームＮ＋３〜Ｎ＋５  ⇒  Ａメモリ全体の伝送受取りと書込み
・
・
・
という動作になる。
【００７５】
また、同じく表示データ受信部２１のＢメモリ２１７の処理は次の通り、すなわち、
フレームＮ〜Ｎ＋２  ⇒  Ｂメモリ全体の伝送受取りと書込み
フレームＮ＋３中半  ⇒  Ｂメモリ全体の読出し(表示)
フレームＮ＋４中半  ⇒  Ｂメモリ全体の読出し(表示)
フレームＮ＋５中半  ⇒  Ｂメモリ全体の読出し(表示)
フレームＮ＋５後半  ⇒  Ｂメモリ全体の初期化
・
・
・
という動作になる。
【００７６】
従って、このときの動作を纏めると、まず、Ｂ地点にある表示データ伝送部２０では、ＤＥＭ８から供給された２次元のデータＤd をメモリ(ＡメモリとＢメモリ)に取り込む。
【００７７】
このとき、図１０(a)、１０(b)、図１１(a)、１１(b)に示すように、Ｉ信号とＱ信号の中点となる値をメモリアドレスの中点とした上で、メモリのアドレス横方向をＩ信号に対応させ、アドレス縦方向はＱ信号に対応させる。
【００７８】
ここで、まず、図１０(a)、１０(b)は、上記した図１６(a)の場合に相当し、図１１(a)、１１(b)は、図１６(b)の場合に相当する。なお、図の右端に示されている履歴フラグについては、後述する。
【００７９】
そして、このあと、表示データ伝送部２０は、次の(1)〜(3)に示す処理を一定期間毎に実行する。
【００８０】
(1) 入力された２次元データＤd のＩ成分とＱ成分の各々の値に応じたアドレスのメモリ内容を１に書換える。具体的には、Ｉ信号とＱ信号のレベル値に相当するメモリのアドレスにデータ１を書込むのである。
【００８１】
(2) メモリ内容を読出し、コンスタレーション配置情報として伝送する。
【００８２】
(3) 全メモリ内容を初期化し、データ０とする。具体的には、メモリの全アドレスにデータ０を書込むのである。
【００８３】
この結果、表示データ受信部２１では、メモリから読出されたコンスタレーション配置情報が一定期間毎に受信されることになる。
【００８４】
そこで、表示データ受信部２１は、このコンスタレーション配置情報が受信される毎に、次の(4)〜(6)に示す処理を実行する。
【００８５】
(4) 全メモリ内容をデータ０に初期化する。
【００８６】
(5) 受信したコンスタレーション配置情報に従いメモリ内容を更新する。
【００８７】
(6) メモリ内容を読出して映像化表示を行なう。
【００８８】
このときの全体の動作を表わしたのが上記した図６のタイムチャートで、図示のように、表示データ伝送部２０のＡメモリ２０９は、表示すべき映像のＮフレームからＮ＋２フレームまでの３フレーム期間で消去と書込み、それに表示を繰り返し、フレーム期間Ｎ＋２において取り込んだＩ信号とＱ信号を、Ｎ＋３フレームからＮ＋５フレームに渡って伝送することになる。
【００８９】
また、表示データ受信部２１のＡメモリ２１６は、前述の説明よりＮ＋２フレーム後半からＮ＋３フレームの開始までの期間で消去を行ない、Ｎ＋３フレームからＮ＋５フレームにかけて伝送されてきたデータを、Ｎ＋３フレームからＮ＋５フレームにかけて取り込み、これを、図示してないが、Ｎ＋６フレームからＮ＋８フレームの期間に表示することになる。
【００９０】
以上に説明した実施形態では、表示データ伝送部２０と表示データ受信部２１の双方にメモリを設け、これらのメモリ間でコンスタレーション配置情報の授受を行うようにしたので、メモリの読出速度を遅くすることができ、従って、電話回線など、データ伝送速度が高くとれない低速回線Ｍを用いても、なんら支障無くコンスタレーション配置情報を伝送することができる。
【００９１】
ところで、マイクロ波による見通し間伝播の場合、その伝播状況は、例えば伝播経路にある河川の水位の変化などによって時々刻々変化する。従って、この場合、一定の期間に渡り、伝播状況を保存して表示する必要があるが、このことは従来のオシロスコープ単独では困難で、長時間の重ね書き表示は従来技術では対応できない。
【００９２】
また、一般的なオシロスコープの場合、そのＸ軸の周波数応答は通常１ＭＨｚ未満であり、高速な信号点変化には追従できないため、通常は観測用に専用の間引きした信号を用意しなければならない。
【００９３】
しかし、以上の実施形態では、フレーム単位で書込んたデータをメモリ間で伝送する方式になっているので、フレーム期間単位で伝播状況が保存され、従って、そのままオシロスコープでコンスタレーションが表示でき、構成が簡略化される。
【００９４】
次に、本発明の第２の実施形態について説明すると、この実施形態は、メモリを行単位に区分し、行単位毎の書込みの有無を記憶する履歴処理部を表示データ伝送部に設け、これにより書込みが行われなかった行単位については伝送を省略し、伝送すべきデータ量の削減による伝送速度の向上が得られるようにしたものである。
【００９５】
図１２は、この第２の実施形態における表示データ伝送部２０Ａを示したもので、図１２において、２１９、２２０は履歴メモリで、２１４は判定部、２１５は読出し伝送部であり、その他の構成は、図２で説明した第１の実施形態における表示データ伝送部２０と同じである。
【００９６】
従って、この表示データ伝送部２０Ａは、図２の表示データ伝送部２０にＡ履歴メモリ２１９とＢ履歴メモリ２２０、それに判定部２２１を追加し、図２の表示データ伝送部２０における読出し伝送部２０７を読出し伝送部２１５で置換したものに相当する。
【００９７】
まず、Ａ履歴メモリ２１９は、Ａメモリ２０９の行を示す上位アドレスに接続され、図１０(a)、１０(b)と図１１(a)、１１(b)に示すように、その行に値１データ書込みがあれば、履歴フラグｐｆ１を立てる。そして、この履歴フラグｐｆ１をＡメモリ２０９の初期化に対応してクリアする機能を備えている。
【００９８】
また、Ｂ履歴メモリ２２０は、Ｂメモリ２１０の行を示す上位アドレスに接続され、図１０(a)、１０(b)と図１１(a)、１１(b)に示すように、その行に値１データ書込みがあれば、履歴フラグｐｆ２を立てる。そして、この履歴フラグｐｆ２をＢメモリ２１０の初期化に対応してクリアする機能を備えている。
【００９９】
従って、これらの履歴フラグｐｆ１、ｐｆ２は、図１１の右端に示すように、Ａメモリ又はＢメモリの各行において、データが書込まれている行に対応してデータ１のフラグが立つことになる。
【０１００】
次に、判定部２２１は、各履歴メモリ２１９、２２０からの書込み有りを示す履歴フラグｐｆ１、ｐｆ２を入力し、書込みなしの場合、行単位の伝送不要を表わす信号ＰＳが発生されるように構成されている。
【０１０１】
読出し伝送部２１５は、図１３に示すように、アドレス発生部２１５−１とＲＥ発生器２１５−２で構成され、基本的には、図５で説明した読出し伝送部２０６と同じであるが、アドレス発生部２１５−１に信号ＰＳが供給されるようになっていて、この信号ＰＳが入力されたときには、その行のアドレスが発生するのを抑え、当該行のデータが読出されないようにする。
【０１０２】
これにより、図８の送信側に示した消去から読出し＆伝送が終了する期間の１期間前の同じ期間で書込みが無かった行、つまりデータが更新されなかった行は間引かれて伝送されることになり、従って、この実施形態によれば、不要行は省略されるため、より短い時間で各メモリ全体の内容が伝送でき、表示が更新されることになる。
【０１０３】
次に、この表示データ伝送部２０Ａのコントロール部２０４による動作について説明する。この場合も、基本動作は、図２で説明した第１の実施形態におけるコントロール部２０４と同じであるが、読出し伝送部２１５による読出し処理が完了したとき、Ａメモリ２０９とＢメモリ２１０の処理を入替えて実行するようになっている点が異なっている。
【０１０４】
具体的には、図２の場合、コントロール部２０４が、図６のタイムチャートに示したように、３フレームを用いて処理の入替を行なうのに対して、この図１３の場合は、例えば２フレームでＡメモリ２０９とＢメモリ２１０の処理が入替えられることになる。
【０１０５】
そして、このとき、Ａ履歴メモリ２１９とＢ履歴メモリ２２０を参照し、履歴フラグｐｆ１、ｐｆ２により書込みのある行だけが伝送されるようにする。
【０１０６】
従って、図１４に示すように、このときの送信側である表示データ伝送部２０ＡのＡメモリ２０９の処理は次の通り、すなわち、
フレームＮ前半  ⇒  Ａメモリ全体の消去
フレームＮ中半  ⇒  Ａメモリ全体の書込み
フレームＮ後半  ⇒  Ａメモリ全体の読出し(表示)
フレームＮ＋１前半  ⇒  Ａメモリ全体の消去
フレームＮ＋１中半  ⇒  Ａメモリ全体の書込み
フレームＮ＋１後半  ⇒  Ａメモリ全体の読出し(表示)
フレームＮ＋２〜Ｎ＋３  ⇒  Ａメモリの書込みのあった区分の
読出し及び伝送
・
・
・
となる。
【０１０７】
また、同じく送信側のＢメモリ２１０の処理は次の通り、すなわち、
フレームＮ〜Ｎ＋１  ⇒  Ｂメモリ全体の伝送受取りと全体の書込み
フレームＮ＋２前半  ⇒  Ｂメモリ全体の消去
フレームＮ＋２中半  ⇒  Ｂメモリ全体の書込み
フレームＮ＋２後半  ⇒  Ｂメモリ全体の読出し(表示)
フレームＮ＋３前半  ⇒  Ｂメモリ全体の消去
フレームＮ＋３中半  ⇒  Ｂメモリ全体の書込み
フレームＮ＋３後半  ⇒  Ｂメモリ全体の読出し(表示)
・
・
・
となる。
【０１０８】
次に、受信側となる表示データ受信部２１におけるＡメモリ２１５の処理は次の通り、すなわち、
フレームＮ中半  ⇒  Ａメモリ全体の読出し(表示)
フレームＮ＋１中半  ⇒  Ａメモリ全体の読出し(表示)
フレームＮ＋１後半  ⇒  Ａメモリ全体の初期化
フレームＮ＋２〜Ｎ＋３  ⇒  Ａメモリの読み出しのあった区分の
伝送受取りと書込み
・
・
・
となる。
【０１０９】
また、同じく受信側の表示データ受信部２２のＢメモリ２１０の処理は次の通り、すなわち、
フレームＮ〜Ｎ＋１  ⇒  Ｂメモリの読出しのあった区分の
伝送受取りと書込み
フレームＮ＋２中半  ⇒  Ｂメモリ全体の読出し(表示)
フレームＮ＋２中半  ⇒  Ｂメモリ全体の読出し(表示)
フレームＮ＋２後半  ⇒  Ｂメモリ全体の初期化
・
・
・
となる。
【０１１０】
従って、この第２の実施形態によれば、上記したように、メモリのデータが更新されなかった行のデータは間引いて伝送されることになり、従って、この実施形態によれば、より短い時間で各メモリ全体の内容が伝送でき、この結果、電話回線などの低速回線Ｍを用いても、応答性良く表示が更新されることになり、伝播状況がより一層的確に把握できる。
【０１１１】
ところで、この第２の実施形態では、図１０(a)、１０(b)に示すように、ＡメモリとＢメモリに書込みがあったか否かを行単位で行い、各メモリに書込みが無かったアドレスについての伝送の間引きも行単位で行うようにしている。
【０１１２】
しかし、本発明によるメモリの区分は行単位に限らない。例えば、図１１(b)に示したように、メモリを４分割し、４分割単位にして処理するようにしてもよい。
【０１１３】
この場合、履歴フラグｐｆ１と履歴フラグｐｆ２は、例えば図１１(b)の右端に示すように、４個のフラグ領域で構成し、各々が異なった４分割区分における書込みの有無に対応したものとなる。
【０１１４】
ところで、以上の実施形態では、２次元のＩ信号とＱ信号によるコンスタレーションの表示についてだけ説明したが、しかし、本発明では、メモリに書込んで伝送すべき情報についてコンスタレーションに限定されるものではなく、例えば遅延プロファイルや、スペクトル状態であっても良い。
【０１１５】
また、コンスタレーションデータを電話改選等の低速回線で送るものとしたが、映像信号と共にマイクロ波に乗せて伝送することももちろん可能である。
【０１１６】
さらに、中継地点は１箇所に限定されるものではなく、その中継地点からのコンスタレーションデータを、映像伝送信号の最終受信地点とは異なる別個の監視地点で集約することもできる。
【図面の簡単な説明】
【０１１７】
【図１】本発明によるデジタル伝送装置の一実施形態をブロックで示したシステム構成図である。
【図２】本発明のデジタル伝送装置における表示データ伝送部の第１の実施形態を示すブロック構成図である。
【図３】本発明に係る表示データ伝送部の第１の実施形態における書込み部の詳細ブロック図である。
【図４】本発明に係る表示データ伝送部の第１の実施形態における初期化部の詳細ブロック図である。
【図５】本発明に係る表示データ伝送部の第１の実施形態における読出し制御部及び読出し伝送部の詳細ブロック図である。
【図６】本発明の一実施形態による書込み、消去、読出しの動作を示すタイミング図である。
【図７】本発明の一実施形態における伝送データの説明図である。
【図８】本発明の一実施形態における表示データ伝送部と表示データ受信部の動作を表わすタイミング図である。
【図９】本発明によるデジタル伝送装置の一実施形態における表示データ受信部のブロック構成図である。
【図１０】本発明の一実施形態に係る表示データ受信部における受信書込み部の詳細ブロック図である。
【図１１】本発明の一実施形態によるコンスタレーション表示の一例とメモリの関係を示す説明図である。
【図１２】本発明の一実施形態によるコンスタレーション表示の他の一例とメモリの関係を示す説明図である。
【図１３】本発明のデジタル伝送装置における表示データ伝送部の第２の実施形態を示すブロック構成図である。
【図１４】本発明に係る表示データ伝送部の第２の実施形態における読出し伝送部の詳細ブロック図である。
【図１５】伝播状況表示機能を備えた従来技術によるデジタル中継システムの一例を示すシステム構成図である。
【図１６】コンスタレーション表示の一例を示す説明図である。
【図１７】伝播状況表示機能を備えた従来技術によるデジタル中継システムの他の一例を示すシステム構成図である。
【符号の説明】
【０１１８】
１：ＭＰＥＧエンコーダ
２：マッピング部
３：ＭＯＤ(変調部)
４：送信高周波部
５：アンテナ(送信側)
６：アンテナ(受信側)
７：受信高周波部
８：ＤＥＭ(復調部)
９：識別判定部
１０：ＭＰＥＧデコーダ
１１：表示装置
１２：再送信装置
１３：アンテナ(送信側)
１４けアンテナ(受信側)
１５：受信装置
２０：表示データ伝送部
２１：表示データ受信部
２０１、２０２：Ａ／Ｄ
２０３：書込み部
２０３−１：合成器
２０３−２：ＷＥ発生器
２０３−４、２０３−５：ゲート
２０４：コントロール部
２０５：初期化部
２０５−１：アドレス発生器
２０５−２：ＷＥ発生器
２０６：読出し表示部
２０６−１：アドレス発生器
２０６−２：ＲＥ発生器
２０７：読出し伝送部
２０８：伝送器
２０９：Ａメモリ
２１０：Ｂメモリ
２１１：加算器
２１２：受信書込み部
２１２−１：ヘッド検出部
２１２−２：アドレス発生器
２１２−３：ＷＥ発生器
２１２−４：ＥＮ発生器
２１３：コントロール部
２１４：初期化部
２１５：読出し表示部
２１５−１：アドレス発生器
２１５−２：ＲＥ発生器
２１６：Ａメモリ
２１７：Ｂメモリ
２１８：加算器
２１９：Ａ履歴メモリ
２２０：Ｂ履歴メモリ
２２１：判定部
【図１】
2005051755.tif 000003
【図２】
2005051755.tif 000004
【図３】
2005051755.tif 000005
【図４】
2005051755.tif 000006
【図５】
2005051755.tif 000007
【図６】
2005051755.tif 000008
【図７】
2005051755.tif 000009
【図８】
2005051755.tif 000010
【図９】
2005051755.tif 000011
【図１０】
2005051755.tif 000012
【図１１】
2005051755.tif 000013
【図１２】
2005051755.tif 000014
【図１３】
2005051755.tif 000015
【図１４】
2005051755.tif 000016
【図１５】
2005051755.tif 000017
【図１６】
2005051755.tif 000018
【図１７】
2005051755.tif 000019